(57)【要約】【課題】運勢などを印刷したおみくじ本体を、御守体が収納できる形状に形成して御守体を収納し、おみくじと御守体を一度に購入できないという不具合を解消する。【解決手段】運勢などを印刷したおみくじ本体と御守体とからなり、おみくじ本体を、御守体が収納できる形状に形成した収納袋として構成する。【選択図】図４
0003125375.tif 000002
【実用新案登録請求の範囲】
【請求項１】
運勢などを印刷したおみくじ本体と御守体とからなり、前記おみくじ本体を、前記御守体が収納できる形状に形成した収納袋として構成することを特徴とする御守体収納おみくじ。
【請求項２】
前記おみくじ本体は、和紙からなり、一方の面に運勢などを印刷し、反対側の面に花柄などを印刷したことを特徴とする請求項１に記載の御守体収納おみくじ。
【請求項３】
前記おみくじ本体の収納形状は、運勢などを印刷した印刷面を内側に、花柄を外側にしてピラミッド形状に形成したことを特徴とする請求項１または請求項２に記載の御守体収納おみくじ。
【請求項４】
前記ピラミッド形状の頂点を紐で止め容易に開かないようにする構造としたことを特徴とする請求項３に記載の御守体収納おみくじ。
【請求項５】
前記御守体として、鈴、十二支、縁起物からなることを特徴とする請求項１に記載の御守体収納おみくじ。
【考案の詳細な説明】
【技術分野】
【０００１】
本考案は、御守体を収納するおみくじに関するものであり、更に詳しくは、運勢などを印刷した紙からなるおみくじ本体を、御守体が収納できる形状に形成した収納袋として構成された御守体収納おみくじに関する。
【背景技術】
【０００２】
おみくじは、新年などに、神社などにおいて販売され、広く国民に親しまれている。すなわちおみくじは、将来の運勢（本年の運勢）として、大吉、吉などと印刷され、折りたたまれて販売されている。信徒である顧客は、購入後おみくじを開き、今後の運勢を占ったのち、神社にある柱、樹木などに結びつけることが広く行われている。
【０００３】
また、おみくじとは別に、交通安全、健康祈願、家内安全のようなお守りを購入し、長く手元におきたいという顧客もあり、このような顧客に対しては、一度に購入できないという不具合がある。
【０００４】
そこで、本考案者は、運勢などを印刷したおみくじ本体を、御守体が収納できる形状に形成した収納袋として構成された御守体収納おみくじに着目した。
【０００５】
従来、割り箸が入ったはし袋の内面に運勢や占いなどを記載したはし袋が知られている（特許文献１）。また、達磨、銭亀、蛙、小槌、恵比寿、大黒天、熊手等の縁起物の一つが、縁起物の縁起の由来が書かれた紙片で包み込まれ、運勢が印刷された紙面に封入されたおみくじもある（特許文献２）。
【０００６】
【特許文献１】実開平７−１７７８５号公報
【特許文献２】実開昭６２−９７７８０号公報
【考案の開示】
【考案が解決しようとする課題】
【０００７】
しかしながら、特許文献１の考案は、新年などに、神社などにおいて販売され、広く国民に親しまれているおみくじではない。また、特許文献２の考案は、縁起物の一つが、縁起物の縁起の由来が書かれた紙片で包み込まれ、運勢が印刷された紙面に封入されてはいるが、おみくじ本体が収納袋ではない。
【０００８】
本考案の目的は、運勢などを印刷したおみくじ本体を、御守体が収納できる形状に形成して御守体を収納し、おみくじと御守体を一度に購入できないという不具合を解消することである。
【課題を解決するための手段】
【０００９】
上記目的を達成するため、請求項１の考案は、運勢などを印刷したおみくじ本体と御守体とからなり、おみくじ本体を、御守体が収納できる形状に形成した収納袋として構成するものである。
【００１０】
また、請求項２の考案は、請求項１に記載の考案であって、おみくじ本体は、和紙からなり、一方の面に運勢などを印刷し、反対側の面に花柄などを印刷したものである。
【００１１】
また、請求項３の考案は、請求項１または請求項２に記載の考案であって、おみくじ本体の収納形状は、運勢などを印刷した印刷面を内側に、花柄を外側にしてピラミッド形状としたものである。
【００１２】
また、請求項４の考案は、請求項３に記載の考案であって、ピラミッド形状の頂点を紐で止め容易に開かないようにする構造としたものである。
【００１３】
また、請求項５の考案は、請求項１に記載の考案であって、御守体として、鈴、十二支、縁起物からなるものである。
【考案の効果】
【００１４】
請求項１記載の御守体収納おみくじによれば、おみくじ本体の中に御守体を収納しているので、おみくじと御守体を別々に購入することなく、おみくじで運勢の占い時に御守体も購入できる。
【００１５】
また、請求項２〜４記載の御守体収納おみくじによれば、おみくじ本体は花柄等が印刷された和紙をピラミッド形状として、ピラミッド形状の頂点を紐で止め容易に開かないようにしたので、新しいデザインコンセプトを持ったおみくじを提供することができる。
【００１６】
さらにまた、請求項５記載の御守体収納おみくじによれば、御守体を身に付けたり、携帯電話や財布等に付けて、長く手元に置くことができる。
【考案を実施するための最良の形態】
【００１７】
本考案の実施の形態を、添付図面に示した本考案の実施例に基づいて以下に具体的に説明する。
【実施例】
【００１８】
図１は、おみくじ本体である運勢などを印刷した紙を開いた状態の展開図であり、図２は、その裏面の展開図である。図３は、御守体の外観図で、ここでは一例として鈴を例示した。図４は、御守体収納おみくじの斜視図である。図５は、御守体収納おみくじを開いた状態の斜視図である。
【００１９】
図１、図２に示すように、おみくじ本体１の紙は赤、青、緑、紫色等の和紙で出来ており、一方の面は運勢２などが印刷され、反対側の面は花柄３等が印刷されている。
【００２０】
おみくじ本体は、運勢２などを印刷した印刷面を内側にして、半分或いは三つ折りに折り畳んで正方形とする。その中に図３に示すような御守体としての鈴４を収納できるように、正方形の四隅をひとつにして四角推をつくりピラミッド形状５とする。ピラミッド形状５とした頂点６は、図４に示すように、紐７で止め容易に開かないようにする。
【００２１】
このようにして作られた御守体収納おみくじは、運勢などを印刷した和紙からなる紙の印刷面を内側に、花柄を外側にしてピラミッド形状５とし、その中に御守体としての鈴４を収納し頂点６を紐７で止めて容易に開かないようにした状態で、神社などの境内で「折り紙みくじ」の名称で販売される。
【００２２】
参拝者は、お参りをした後で、今年の運勢を占うために、この「折り紙みくじ」を購入して、紐７の輪に指を通し、紐を引っ張ると、花が咲いたようにおみくじ本体１が開き、中には御守体としての鈴４が入っている。鈴を取り出し、おみくじ本体１の印刷面を開くと、運勢２などが印刷されている。
【００２３】
御守体としての鈴４にはストラップ用の鎖８が付いているので、御守体を身に付けたり、携帯電話や財布等に付けて、長く手元に置くことができる。また、御守体としては、鈴の他に十二支、縁起物を用いても良い。
【産業上の利用可能性】
【００２４】
おみくじ本体は花柄等が印刷された和紙をピラミッド形状として、ピラミッド形状の頂点を紐で止め容易に開かないようにしたので、新しいデザインコンセプトを持ったおみくじを提供することができる。
【図面の簡単な説明】
【００２５】
【図１】おみくじ本体である運勢などを印刷した紙を開いた状態の展開図である。
【図２】おみくじ本体である裏面の展開図である。
【図３】御守体の外観図である。
【図４】御守体収納おみくじの実施例を示す斜視図である。
【図５】御守体収納おみくじを開いた状態を示す斜視図である。
【符号の説明】
【００２６】
１    おみくじ本体
２    運勢
３    花柄
４    御守体
５    ピラミッド形状
６    頂点
７    紐
８    ストラップ用の鎖
【図１】
0003125375.tif 000003
【図２】
0003125375.tif 000004
【図３】
0003125375.tif 000005
【図４】
0003125375.tif 000006
【図５】
0003125375.tif 000007